(57)【要約】【課題】使用者の上半身を、腰部を屈曲点として起こし、使用者に圧迫感を与えることなくリクライニングできる折畳みベッドを提供する。【解決手段】主として上半身側が裁置される上半身側寝台部３と、主として下半身側が裁置される下半身側寝台部４とを含む寝台部２を具え、ベッド側面視において、水平状態と屈曲状態とに変形可能な折畳みベッド１であって、上半身側寝台部３は、第１駆動手段２２の駆動力を用いて、ベッド幅方向に沿った水平な第１枢軸２１回りで傾動するとともに、上向きに傾くことにより、使用者の上半身を斜めに起き上がらせる上半身側傾動部２０を含み、側面視において、第１枢軸２１は、寝台部２の水平長さＬの中心ＣＬから１１０〜２００mmの位置に設けられている。【選択図】図６
2014100183.tif 000002
【特許請求の範囲】
【請求項１】
主として使用者の上半身側が裁置される上半身側寝台部と、主として使用者の下半身側が裁置される下半身側寝台部とを含む寝台部を具え、
ベッド側面視において、前記寝台部が略水平となる水平状態と、前記上半身側寝台部と前記下半身側寝台部とが逆Ｖ字状に折り曲げられた屈曲状態とに変形可能な折畳みベッドであって、
前記上半身側寝台部は、第１駆動手段の駆動力を用いて、ベッド幅方向に沿った水平な第１枢軸回りで傾動するとともに、上向きに傾くことにより、使用者の上半身を斜めに起き上がらせる上半身側傾動部を含み、
前記ベッド側面視において、前記第１枢軸は、前記寝台部の水平長さの中心から水平方向に１００〜２００mmの位置に設けられていることを特徴とする折畳みベッド。
【請求項２】
前記上半身側傾動部は、先行して上向きに傾きかつ前記使用者の頭部が裁置される頭部側裁置部と、前記頭部側載置部から遅れて上向きに傾きかつ前記使用者の背中が裁置される背中側裁置部とを含む請求項１に記載の折畳みベッド。
【請求項３】
前記寝台部は、ベッドフレームに載せられており、
前記第１駆動手段は、前記水平状態において、前記上半身側寝台部の下方かつ前記ベッドフレームに設けられた伸縮可能なロッドを具えたアクチュエータと、
前記ロッドの伸縮により、前記第１枢軸と平行な水平軸回りで傾動する揺動レバーとを有し、
前記揺動レバーの一端は、直接的又は間接的に、前記頭部側裁置部を下方側から押し上げる請求項１又は２に記載の折畳みベッド。
【請求項４】
前記頭部側裁置部と、前記背中側裁置部とは、中間リンクを介して傾動可能に連結されており、
前記頭部側裁置部には、一端が、前記第１枢軸の近傍でかつ前記第１枢軸と平行な水平軸回りで傾動可能に前記ベッドフレームに連結された傾動アームの他端が連結され、
前記揺動レバーの前記一端は、前記傾動アームを下方から押し上げる請求項３に記載の折畳みベッド。
【請求項５】
前記揺動レバーの前記一端には、前記傾動アームに沿って転動するローラが回動自在に設けられている請求項４に記載の折畳みベッド。
【請求項６】
前記中間リンクは、前記ベッド側面視において、ベッド下方側に凸となる円弧状であり、前記頭部側裁置部と、前記背中側裁置部との各背面を連結している請求項４又は５記載の折畳みベッド。
【請求項７】
前記揺動レバーの前記一端と前記傾動アームとは、連結されていない請求項４乃至６のいずれかに記載の折畳みベッド。
【請求項８】
前記アクチュエータは、前記ロッドの伸張により、前記上半身側傾動部を押し上げる請求項３乃至７のいずれかに記載の折畳みベッド。
【請求項９】
前記下半身側寝台部は、使用者の太腿側が裁置される太腿側載置部と、前記使用者の脹脛が裁置される脹脛側裁置部とを含み、
前記太腿側裁置部は、その上半身側寝台部側に設けられた第２枢軸回りで傾動可能に設けられ、
前記第２枢軸は、ベッド幅方向に沿った水平な軸であり、
前記第１枢支点と前記第２枢支点との水平方向の距離Ｌ２が、２００〜４００mmである請求項１乃至８のいずれかに記載の折畳みベッド。
【請求項１０】
前記脹脛側裁置部と前記太腿側載置部とは、ベッド幅方向にのびる水平な第３枢軸回りで傾動可能に連結され、
前記ベッド側面視において、前記脹脛側裁置部は、第２駆動手段の駆動力を用いて、前記第３枢軸回りで傾動するとともに、
前記太腿側裁置部は、前記脹脛側載置部の傾動に伴って、前記第２枢軸回りで前記脹脛側裁置部とは逆向きに傾動し、上向きに傾くことにより、使用者の太腿を持ち上げる請求項９記載の折畳みベッド。
【発明の詳細な説明】
【技術分野】
【０００１】
本発明は、リクライニング可能な折畳みベッドに関する。
【背景技術】
【０００２】
従来、図１０に示されるようなリクライニング可能な折畳みベッドａが提案されている（例えば、下記特許文献１）。この折畳みベッドａは、主として使用者の上半身側が裁置される上半身側寝台部ｂと、主として使用者の下半身側が裁置される下半身側寝台部ｃとを含む寝台部ｄを具えている。折畳みベッドａは、ベッド側面視において、これら上半身側寝台部ｂと下半身側寝台部ｃとが、逆Ｖ字状に折りげられて屈曲状態に変形可能である。
【０００３】
上半身側寝台部ｂは、ベッド幅方向に沿った水平な第１枢軸ｅ回りで上向きに傾動する上半身側傾動部ｆを含んでいる。上半身側傾動部ｆが持ち上げられることにより、使用者の上半身を斜めに起こすことができる（リクライニング状態）。
【先行技術文献】
【特許文献】
【０００４】
【特許文献１】特開２００５−１２４６５１号公報
【発明の概要】
【発明が解決しようとする課題】
【０００５】
従来の折畳みベッドａでは、寝台部ｄの水平長さＬの中心ＣＬから第１枢軸ｅまでの水平方向の距離Ｌａは、例えば、２３０mm程度に設定されている。このような折畳みベッドａでは、標準的な成人の使用者を前提とした場合、上半身側傾動部ｆの屈曲位置である腰部ｇの一とは一致しない。従って、図１０に示されるように、折畳みベッドａをリクライニング状態としたときに、使用者の上半身は、腰部ｇよりも頭部側を支点として屈曲される。また、上半身側傾動部ｆの傾動角度θが大きくなるに従い、使用者の腹部等に圧迫感を与えるという問題があった。
【０００６】
本発明は、以上のような実状に鑑み案出されたもので、リクライニング状態とされる際、使用者の上半身が腰部を支点として起こされるように、上半身側寝台部の傾動支点の位置を一定範囲に限定することを基本として、使用者の腹部に圧迫感を与えることなくリクライニング可能な折畳みベッドを提供することを主たる目的とする。
【課題を解決するための手段】
【０００７】
本発明のうち、請求項１記載の発明は、主として使用者の上半身側が裁置される上半身側寝台部と、主として使用者の下半身側が裁置される下半身側寝台部とを含む寝台部を具え、ベッド側面視において、前記寝台部が略水平となる水平状態と、前記上半身側寝台部と前記下半身側寝台部とが逆Ｖ字状に折り曲げられた屈曲状態とに変形可能な折畳みベッドであって、前記上半身側寝台部は、第１駆動手段の駆動力を用いて、ベッド幅方向に沿った水平な第１枢軸回りで傾動するとともに、上向きに傾くことにより、使用者の上半身を斜めに起き上がらせる上半身側傾動部を含み、前記ベッド側面視において、前記第１枢軸は、前記寝台部の水平長さの中心から水平方向に１００〜２００mmの位置に設けられていることを特徴とする。
【０００８】
また請求項２に記載の発明は、前記上半身側傾動部は、先行して上向きに傾きかつ前記使用者の頭部が裁置される頭部側裁置部と、前記頭部側載置部から遅れて上向きに傾きかつ前記使用者の背中が裁置される背中側裁置部とを含む請求項１に記載の折畳みベッドである。
【０００９】
また請求項３に記載の発明は、前記寝台部は、ベッドフレームに載せられており、前記第１駆動手段は、前記水平状態において、前記上半身側寝台部の下方かつ前記ベッドフレームに設けられた伸縮可能なロッドを具えたアクチュエータと、前記ロッドの伸縮により、前記第１枢軸と平行な水平軸回りで傾動する揺動レバーとを有し、前記揺動レバーの一端は、直接的又は間接的に、前記頭部側裁置部を下方側から押し上げる請求項１又は２に記載の折畳みベッドである。
【００１０】
また請求項４に記載の発明は、前記頭部側裁置部と、前記背中側裁置部とは、中間リンクを介して傾動可能に連結されており、前記頭部側裁置部には、一端が、前記第１枢軸の近傍でかつ前記第１枢軸と平行な水平軸回りで傾動可能に前記ベッドフレームに連結された傾動アームの他端が連結され、前記揺動レバーの前記一端は、前記傾動アームを下方から押し上げる請求項３に記載の折畳みベッドである。
【００１１】
また請求項５に記載の発明は、前記揺動レバーの前記一端には、前記傾動アームに沿って転動するローラが回動自在に設けられている請求項４に記載の折畳みベッドである。
【００１２】
また請求項６に記載の発明は、前記中間リンクは、前記ベッド側面視において、ベッド下方側に凸となる円弧状であり、前記頭部側裁置部と、前記背中側裁置部との各背面を連結している請求項４又は５記載の折畳みベッドである。
【００１３】
また請求項７に記載の発明は、前記揺動レバーの前記一端と前記傾動アームとは、連結されていない請求項４乃至６のいずれかに記載の折畳みベッドである。
【００１４】
また請求項８に記載の発明は、前記アクチュエータは、前記ロッドの伸張により、前記上半身側傾動部を押し上げる請求項３乃至７のいずれかに記載の折畳みベッドである。
【００１５】
また請求項９に記載の発明は、前記下半身側寝台部は、使用者の太腿側が裁置される太腿側載置部と、前記使用者の脹脛が裁置される脹脛側裁置部とを含み、前記太腿側裁置部は、その上半身側寝台部側に設けられた第２枢軸回りで傾動可能に設けられ、前記第２枢軸は、ベッド幅方向に沿った水平な軸であり、前記第１枢支点と前記第２枢支点との水平方向の距離Ｌ２が、２００〜４００mmである請求項１乃至８のいずれかに記載の折畳みベッドである。
【００１６】
また請求項１０に記載の発明は、前記脹脛側裁置部と前記太腿側載置部とは、ベッド幅方向にのびる水平な第３枢軸回りで傾動可能に連結され、前記ベッド側面視において、前記脹脛側裁置部は、第２駆動手段の駆動力を用いて、前記第３枢軸回りで傾動するとともに、前記太腿側裁置部は、前記脹脛側載置部の傾動に伴って、前記第２枢軸回りで前記脹脛側裁置部とは逆向きに傾動し、上向きに傾くことにより、使用者の太腿を持ち上げる請求項９記載の折畳みベッドである。
【発明の効果】
【００１７】
本発明の折畳みベッドは、上半身側寝台部が、第１駆動手段の駆動力を用いて、ベッド幅方向に沿った水平な第１軸回りで傾動するとともに、上向きに傾くことにより、使用者の上半身を斜めに起き上がらせる上半身側傾動部を含むとともに、ベッド側面視において、前記第１枢軸が、寝台部の水平長さの中心から水平方向に１００〜２００mmの位置に設けられていることを特徴とする。
【００１８】
このような本発明の折畳みベッドでは、標準的な成人の使用者の利用を前提とした場合、上半身側傾動部の傾動支点である第１枢軸と、使用者の腰部とがほぼ一致する。従って、ベッドがリクライニング状態とされる際、使用者は、腰部を支点として、上半身側傾動部で起こされる。よって、上半身側傾動部の傾動角度が大きくなっても、使用者の腹部等が圧迫されることがない。
【図面の簡単な説明】
【００１９】
【図１】本発明の実施形態の折畳みベッドの水平状態の側面図である。
【図２】図１の折畳みベッドの屈曲状態の側面図である。
【図３】本実施形態の折畳みベッドの分解斜視図である。
【図４】図１の折畳みベッドのベッドフレームを示す平面図である。
【図５】折畳みベッドの寝台部の平面図である。
【図６】リクライニングされた折畳みベッドの側面図である。
【図７】中間リンクが拡大された折畳みベッドの一部切り欠き斜視図である。
【図８】第１駆動手段が拡大された折畳みベッドの一部切り欠き斜視図である。
【図９】第２駆動手段が拡大された折畳みベッドの一部切り欠き斜視図である。
【図１０】従来の折畳みベッドのリクライニング状態の側面図である。
【発明を実施するための形態】
【００２０】
以下、本発明の実施の一形態が図面に基づき説明される。
図１及び２には、本実施形態の折畳みベッド（以下、単に「ベッド」と記載される）１の側面図が示されている。図１及び２に示されるように、ベッド１は、主として使用者の上半身側が裁置される上半身側寝台部３と、主として使用者の下半身側が裁置される下半身側寝台部４とを含む寝台部２を具えている。
【００２１】
図１に示されるように、ベッド１は、寝台部２の一端側Ｂ１に、宮板Ａが設けられている。使用者は、通常、寝台部２の宮板Ａ側を頭部として利用するのが一般的である。従って、上半身側寝台部３は寝台部２の宮板Ａ側を構成し、下半身側寝台部４は寝台部２の他端Ｂ２側を構成している。
【００２２】
図１又は図２に示されるように、ベッド１は、寝台部２が略水平となる水平状態（図１）と、上半身側寝台部３と下半身側寝台部４とが逆Ｖ字状に折りげられた屈曲状態（図２）とに変形可能である。特に指定されていない場合、ベッド１は、水平状態とされているものとする。また、本明細書では、理解しやすいように、ベッド１の長手方向がＸ、ベッド１の幅方向がＹ、ベッド１の高さ方向がＺとしてそれぞれ定義されている。
【００２３】
図１に示されるように、ベッド１の側面視において、寝台部２の水平長さＬは、標準的な日本の成人男性の体型（身長約１７０cm）を考慮して、例えば、１９００〜２０００mm程度に設定されている。寝台部２の水平長さは、使用者が横たえることができる寝台面の長手方向Ｘの長さである。本実施形態では、上半身側寝台部３の長手方向Ｘの水平長さと、下半身側寝台部４の長手方向Ｘの水平長さとは、等しく形成されている。
【００２４】
寝台部２は、ベッドフレーム５に載置されている。このベッドフレーム５は、上半身側寝台部３が載置される上半身側フレーム６と、下半身側寝台部４が載置される下半身側フレーム７とを含んでいる。
【００２５】
図３はベッドフレーム５の斜視図、図４はその平面図をそれぞれ示している。図３及び図４に示されるように、上半身側フレーム６は、例えば、平面視において、略コ字状に形成された主枠１０と、ベッド幅方向Ｙにのびかつ主枠１０の他端Ｂ２側の両端部を連結する補強材１１ａと、ベッド長手方向Ｘにのびかつ主枠１０と補強材１１ａとの間を連結する一対の補強材１１ｂ、１１ｂとを含んで形成されている。
【００２６】
上半身側フレーム６には、さらに、主枠１０の一端Ｂ１側からベッド長手方向Ｘにのびる補強材１１ｃを有している。図３に示されるように、該補強材１１ｃには、ベッド幅方向Ｙに沿う枢軸１２ａが設けられている。この枢軸１２ａには、脚部材１２が回動可能に設けられている。
【００２７】
図４に示されるように、下半身側フレーム７は、例えば、平面視において、略コ字状に形成された主枠１５と、ベッド幅方向Ｙにのびかつ主枠１５の一端Ｂ１側の両端部を連結する補強材１６ａと、ベッド長手方向Ｘにのびかつ主枠１５と補強材１６ａとの間を連結する一対の補強材１６ｂ、１６ｂとを含んで形成されている。さらに、図３に示されるように、下半身側フレーム７の各補強材１６ｂには、ベッド幅方向Ｙにのびる枢軸１７ａが設けられている。該枢軸１７ａには、脚部材１７が傾動可能に枢支されている。
【００２８】
各脚部材１２及び各脚部材１７は、例えば、逆Ｔ字状をなす脚フレームと、その下部に取り付けられた車輪とから構成される。図１又は図２に示されるように、本実施形態の脚部材１２及び脚部材１７によれば、ベッド１を水平状態と屈曲状態との間で変形させる際、前記車輪が床面を走行するとともに、脚フレームが枢軸１２ａ、１７ａ回りに傾動する。これにより、ベッド１の変形がスムーズに行われる。また、各脚部材１２は、各脚部材１７のベッド幅方向外側に配されている。従って、ベッド１の変形時、脚部材１２と脚部材１７とが互いに接触することがない。
【００２９】
図１乃至図４に示されるように、ベッドフレーム５は、さらに、上半身側フレーム６と下半身側フレーム７との間に配され、これらを連結する連結フレーム８を含んでいる。
【００３０】
連結フレーム８は、ベッド幅方向Ｙの両側に配置された一対の側板部８ａと、この側板部８ａ間を継ぐ継ぎ材８ｂと、継ぎ材８ｂから下方にのびる一対の脚部材９とを含んでいる。
【００３１】
側板部８ａの一端Ｂ１側は、上半身側フレーム６に枢軸６ａで回動可能に連結されている。同様に、側板部８ａの他端Ｂ２側は、下半身側フレーム７に枢軸７ａで回動可能に連結されている。各脚部材９は、例えば、棒状にのび、その先端に滑り止めが設けられている。ベッド１は、水平状態において、脚部材９により移動が規制される。また、ベッド１は、連結フレーム８が上に持ち上がることにより、水平状態から屈曲状態へと変形される。
【００３２】
本実施形態のベッドフレーム５は、例えば、連結フレーム８と上半身側フレーム６との間、及び、連結フレーム８と下半身側フレーム７との間に、それぞれ引張バネ（図示省略）が設けられてもよい。引張バネが設けられることにより、ベッド１を屈曲状態にする際の操作力が軽減される。また、本実施形態のベッドフレーム５は、例えば、電動機などを使用することにより、自動で屈曲状態又は水平状態へと変形可能とされても良い。
【００３３】
上半身側寝台部３は、使用者の荷重を受ける剛性フレーム部３Ａと、その上面に配されたウレタンフォーム等のクッション材３Ｂとを含んで構成されている。同様に、下半身側寝台部４は、剛性フレーム部４Ａと、その上面に配されたウレタンフォーム等のクッション材４Ｂとを含んで構成されている。各寝台部３、４は、例えば、カバー材（図示せず）で被覆されている。
【００３４】
図５には、剛性フレーム部３Ａ及び剛性フレーム部４Ａが平面図で示され、図６には、ベッド側面視において、リクライニング状態のベッド１が示される。図５に示されるように、上半身側寝台部３は、ベッド幅方向Ｙに沿った水平な第１枢軸２１回りで傾動する上半身側傾動部２０を含んでいる。図６に示されるように、第１枢軸２１は、例えば、ベッドフレーム５に設けられる。本実施形態の第１枢軸２１は、上半身側フレーム６の補強材１１ａに固着された支持片１３で枢支されている。
【００３５】
本発明では、第１枢軸２１は、ベッド側面視において、寝台部２の水平長さＬの中心ＣＬから第１枢軸２１までの水平方向の第１距離Ｌ１が、１００〜２００mmとなる位置に設けられている。即ち、第１枢軸２１が、従来に比して、寝台部２の長手方向Ｘの中央側に寄せて設けられている。第１距離Ｌ１が１００mm未満の場合、例えば、使用者は、使用者の腰部ｇより下半身側の臀部を支点に上半身が起こされ、上半身側傾動部２０の傾動角度が大きくなると、ベッド長手方向Ｘの他端Ｂ２側にずれ動かされるおそれがある。逆に、第１距離Ｌ１が２００mmより大きい場合、例えば、使用者は、使用者の腰部ｇより頭部側を支点に上半身がおこされ、上半身側傾動部２０の傾動角度が大きくなるに従い、腹部等に圧迫感を感じるおそれがある。このような観点より、本実施形態の第１距離Ｌ１は、好ましくは、１００〜１７０mm、より好ましくは、１００〜１５０mm、さらに好ましくは、１００〜１４０mmであるのが望ましい。
【００３６】
このようなベッド１は、標準的な成人の使用者の利用を前提とした場合、上半身側傾動部２０の傾動支点である第１枢軸２１と、使用者の腰部ｇの位置とがほぼ一致する。従って、ベッド１がリクライニング状態とされる際、使用者は、腰部ｇを支点として、上半身側傾動部２０で起こされる。よって、上半身側傾動部２０の傾動角度が大きくなっても、使用者の腹部等が圧迫されることがない。なお、上半身側傾動部２０の水平方向に対する上向きの傾斜角度は、好ましくは０度よりも大きく７５°以下に設定されるのが好ましい。
【００３７】
上半身側傾動部２０は、好ましくは、使用者の頭部が裁置される頭部側裁置部２３と、使用者の背中が裁置される背中側裁置部２４とを含む。
【００３８】
図５又は図６に示されるように、頭部側載置部２３は、例えば、横長矩形状に結合された枠体２３ａと、枠体２３ａの幅方向Ｙに懸架された略Ｓ字状の支持材２３ｂと、これらの上部に配されたウレタンフォーム等のクッション材２３ｃとを含んでいる。頭部側載置部２３は、使用者の頭部を載置する枕として機能しうるように、ベッド長手方向Ｘにおいて、例えば、１９０〜２４０mmの長さを有するのが望ましい。
【００３９】
背中側載置部２４は、例えば、略コ字状に形成された主枠２４ａと、ベッド幅方向Ｙをのびかつ主枠２４ａの他端Ｂ２側の両端部を継ぐ補強材２４ｂと、主枠２４ａの幅方向Ｙに懸架された略Ｓ字状の支持材２４ｃと、これらの上部に配されたウレタンフォーム等のクッション材２４ｄとを含んでいる。この背中側裁置部２４の主枠２４ａの他端Ｂ２側の両端部は、第１枢軸２１で傾動自在にベッドフレーム５に連結されている。
【００４０】
頭部側載置部２３と背中側載置部２４とは、中間リンク２５を介して傾動可能に連結されている。
【００４１】
図７には、中間リンク２５の拡大斜視図が示されている。図７に示されるように、中間リンク２５は、一端が頭部側裁置部２３の枠体２３ａの他端Ｂ２側に枢支され、他端が背中側裁置部２４の主枠２４ａの一端Ｂ１側に枢支されている。また、中間リンク２５は、頭部側裁置部２３と背中側裁置部２４との各背面側に連結されている。中間リンク２５は、例えば、ベッド側面視において、ベッド下方側に凸となる円弧状に形成されている。
【００４２】
さらに、上半身側傾動部２０は、例えば、上半身側フレーム６に支持された第１駆動手段２２の駆動力を用いて傾動される。この第１駆動手段２２は、例えばリモコン等でベッド１上の使用者によって操作される。
【００４３】
図６及び図８には、第１駆動手段２２が示されている。第１駆動手段２２は、アクチュエータ３０と、このアクチュエータ３０の駆動によりベッド幅方向Ｙに沿った水平軸３１ａ回りで傾動する揺動レバー３１とを有している。
【００４４】
アクチュエータ３０は、例えば、上半身側寝台部３の下方かつベッドフレーム５に、取付部材２９を介して枢支されている。アクチュエータ３０は、電動モータ３０ｂと、電動モータ３０ｂの駆動により伸縮可能なロッド３０ａとを具えている。ロッド３０ａは、水平軸３１ａに固着されたロッド枢支レバー３３に枢支されている。
【００４５】
揺動レバー３１は、一端が水平軸３１ａに固着されており、他端は、直接的又は間接的に頭部側裁置部２３を下方側から押し上げることができる。
【００４６】
このような第１駆動手段２２は、アクチュエータ３０のロッド３０ａの伸張により、図６において時計回りに水平軸３１ａを回転させる。これにより、揺動レバー３１が起き上がり、上半身側傾動部２０を押し上げることができる。この際、頭部側裁置部２３のみが先行して上向きに傾く。この状態では、頭部載置枠２３のみが持ち上がるため、使用者は、頭部載置枠２３を枕のように使用することができる。次に、アクチュエータ３０のロッド３０ａをさらに伸長させると、頭部載置部２３の傾動角度がさらに大きくなる。これにより、中間リンク２５が背中側裁置部２４を引き上げ、背中側載置部２４が、頭部側載置部２３に遅れて上向きに傾く。
【００４７】
頭部載置部２３は、例えば、揺動レバー３１によって直接的に押し上げられても良い。この場合、揺動レバー３１の一端が頭部側載置部２３に直接連結される。
【００４８】
本実施形態では、揺動レバー３１が頭部載置部２３を間接的に押し上げる構成が示されている。この態様では、第１駆動手段２２は、さらに、一端がベッドフレーム５に連結されかつ他端が頭部側載置部２３に連結された傾動アーム３２を含んでいる。
【００４９】
図８に示されるように、傾動アーム３２は、例えば、一端が上半身側フレーム６の補強材１１ｂ、１１ｂ間に枢支された水平軸３２ａに固着される。これにより、傾動アームは、ベッド幅方向Ｙに沿った水平軸３２ａ回りに傾動可能である。水平軸３２ａは、第１枢軸２１の近傍でかつ第１枢軸２１と平行に枢支される。
【００５０】
傾動アーム３２の他端は、例えば、スライド部３２ｂが形成されている。該スライド部３２ｂは、頭部側載置部２３の枠体２３ａに設けられたスライドレール２３ｃにスライド可能に挿入されている。
【００５１】
揺動レバー３１は、一端に、例えば、傾動アーム３２に沿って回転自在なローラ３１ｂが設けられ、このローラ３１ｂを介して傾動アーム３２を下方から押し上げるように構成されている。
【００５２】
以上のような揺動レバー３１及び傾動アーム３２の構成によれば、揺動レバー３１の水平軸３１ａと傾動アーム３２の水平軸３２ａとの距離が大きくても、上半身側傾動部２０を大きな傾斜角度に傾動することができる。また揺動レバー３１の一端には、ローラ３１ｂが設けられ、揺動レバー３１の一端と傾動アーム３２とは連結していない。このため、上半身側傾動部２０を下方に傾動する場合、例えば、上半身側傾動部２０の下方に、人や物等があっても、上半身側傾動部２０とアクチュエータ３０とが切り離され、アクチュエータ３０のロッド３０ａのみが縮小する。つまり、上半身側傾動部２０は、アクチュエータ３０の動力ではなく、自重のみで下降するので、上半身側傾動部２０で人や物等が挟まれる事故が防止される。
【００５３】
図５に示されるように、下半身側寝台部４は、使用者の太腿側が裁置される太腿側載置部３５と、使用者の脹脛側が裁置される脹脛側裁置部３６とを含んでいる。
【００５４】
太腿側載置部３５及び脹脛側載置部３６は、例えば、横長矩形状に結合した枠体３５ａ、３６ａと、各枠体３５ａ、３６ａのベッド幅方向Ｙに懸架された略Ｓ字状の支持材３５ｂ、３６ｂと、それらの上面に配されたウレタンフォーム等のクッション材３６ｃとを含んでいる。
【００５５】
太腿側載置部３５の支持面は、使用者の太腿を載置するのに適した前後方向Ｘの長さを有し、例えば、２３０〜２８０mmに形成される。また、脹脛側載置部３６の支持面は、使用者の脹脛を載置するのに適した前後方向Ｘの長さを有し、例えば、５３０〜５８０mmに形成される。
【００５６】
太腿側裁置部３５は、一端Ｂ１側に設けられた第２枢軸３７回りで傾動可能に設けられている。該第２枢軸３７は、ベッド幅方向Ｙに沿った水平な軸であり、例えば、下半身側フレーム７の補強材１６ａに固着された基部３８の後端部に枢支される。
【００５７】
太腿側裁置部３５と脹脛側載置部３６とは、例えば、ベッド幅方向Ｙにのびる水平な第３枢軸３９の回りで傾動可能に連結されている。図６に示されるように、ベッド側面視において、脹脛側裁置部３６は、第２駆動手段４０の駆動力を用いて、第３枢軸３９回りで傾動する。このとき、太腿側裁置部３５は、脹脛側載置部３６の傾動に伴って、第２枢軸３７回りで脹脛側裁置部３６とは逆向きに傾動することができる。
【００５８】
脹脛側載置部３６は、例えば、第２駆動手段４０で駆動される。台２駆動手段４０は、下半身側フレーム７に配される。図９には、第２駆動手段４０が拡大されたベッド１の斜視図が示される。
【００５９】
図９に示されるように、本実施形態の第２駆動手段４０は、例えば、下半身側寝台部４の下方かつベッドフレーム５に設けられた伸縮可能なロッド４１ａを具えたアクチュエータ４１を有している。
【００６０】
アクチュエータ４１は、例えば、下半身側フレーム７の補強材１６ｂ、１６ｂ間に、補強材を介して配された取付部材４２に枢支されている。アクチュエータ４１は、電動モータ４１ｂと、電動モータ４１ｂの駆動により伸縮可能なロッド４１ａとを具えている。ロッド４１ａは、脹脛側載置部３６の枠体３６ａに設けられた補強材３６ｃに枢支されている。
【００６１】
図６に示されるように、本実施形態の下半身側寝台部４では、第２駆動手段４０により脹脛側載置部３６が押し上げられると、第３枢軸３９を介して太腿側載置部３５が第２枢軸３８回りで上向きに傾動し、脹脛側載置部３６が第３枢軸回りで下向きに傾動する。従って、使用者の下半身が下半身側寝台部４に沿って持ち上げられる。
【００６２】
このようなベッド１は、太腿側載置部３５により、使用者の太腿を、腰部ｇの近傍位置を支点として持ち上げることができる。即ち、太腿の屈曲位置と太腿側載置部３５の屈曲位置とが近似した状態で、使用者の太腿を持ち上げることができる。よって、太腿側載置部３５の傾動角度が大きくなっても、使用者の腹部等に圧迫感を与えることなく使用者の太腿を持ち上げることができる。特に好ましい態様では、ベッド側面視において、第１枢軸２１から第２枢軸３７までの第２距離Ｌ２は、２００〜４００mmである。
【００６３】
本実施形態のベッド１は、第１枢軸２１から第２枢軸３７までの第２距離Ｌ２が、従来のベッドに比して小さく設定されている。このため、例えば、上半身側傾動部２０と太腿側載置部３５とが同時に傾動し、使用者の上半身が起こされ、太腿が持ち上げられた場合であっても、使用者の腹部等に圧迫感を与えることなくリクライニング可能かつ使用者の太腿を持ち上げることができる。
【００６４】
以上、本発明の特に好ましい実施形態について詳述したが、本発明は図示の実施形態に限定されることなく、種々の態様に変形して実施しうる。
【符号の説明】
【００６５】
１    折畳みベッド
２    寝台部
３    上半身側寝台部
４    下半身側寝台部
５    ベッドフレーム
２０    上半身側傾動部
２１    第１枢軸
２２    第１駆動手段
２３    頭部側載置部
２４    背中側載置部
２５    中間リンク
３０    アクチュエータ
３１    揺動レバー
３２    傾動アーム
３５    太腿側載置部
３６    脹脛側載置部
３７    第２枢軸
３９    第３枢軸
４０    第２駆動手段
Ｘ    ベッド長手方向
Ｙ    ベッド幅方向
【図１】
2014100183.tif 000003
【図２】
2014100183.tif 000004
【図３】
2014100183.tif 000005
【図４】
2014100183.tif 000006
【図５】
2014100183.tif 000007
【図６】
2014100183.tif 000008
【図７】
2014100183.tif 000009
【図８】
2014100183.tif 000010
【図９】
2014100183.tif 000011
【図１０】
2014100183.tif 000012